(57)【要約】【課題】、部品コストを低減することができるピンヘッダーおよびピンヘッダーと回路基板との電気接続構造を提供すること。【解決手段】２枚の回路基板６０Ａ、６０Ｂの各回路基板６０Ａ、６０Ｂの電気接続ホール６１に各端部４０ａを差し込んで接続するピン端子４０と、ピン挿通孔２１に前記ピン端子４０を挿通することによって該ピン端子４０を保持するピン端子保持部１０と、を有するピンヘッダー１において、前記ピン挿通孔２１に挿通することによって前記ピン端子保持部１０に保持しつつ、同一の前記回路基板６０Ｂの前記電気接続ホール６１に両端部５０ａを差し込んで接続する同一基板内接続ピン端子５０を有する。【選択図】図１
2015115101.tif 000002
【特許請求の範囲】
【請求項１】
２枚の回路基板の各回路基板の電気接続ホールに各端部を差し込んで接続するピン端子と、ピン挿通孔に前記ピン端子を挿通することによって該ピン端子を保持するピン端子保持部と、を有するピンヘッダーにおいて、
前記ピン挿通孔に挿通することによって前記ピン端子保持部に保持しつつ、同一の前記回路基板の前記電気接続ホールに両端部を差し込んで接続する同一基板内接続ピン端子を有する
ことを特徴とするピンヘッダー。
【請求項２】
前記ピン端子保持部は、
前記同一基板内接続ピン端子を前記同一の回路基板内の前記電気接続ホールに前記両端部を差し込み可能に折り返すために屈曲した部分を保持する屈曲部分保持部
を有することを特徴とする請求項１に記載のピンヘッダー。
【請求項３】
前記屈曲部分保持部は、
前記ピン端子の両端部を前記２枚の回路基板の対向位置からズレた前記電気接続ホールに接続するために屈曲した部分を保持すること
を特徴とする請求項２に記載のピンヘッダー。
【請求項４】
前記ピン端子保持部は、
前記ピン端子および前記同一基板内接続ピン端子の前記電気接続ホールへの差し込み量を規定するスペーサ部を有し、かつ、上下および左右対称形状
であることを特徴とする請求項１、２、または３に記載のピンヘッダー。
【請求項５】
２枚の回路基板の各回路基板の電気接続ホールにピンヘッダーのピン端子の各端部を差し込んで接続するピンヘッダーと回路基板との電気接続構造において、
前記ピンヘッダーは、
請求項１〜４のいずれか一つに記載のピンヘッダー
であることを特徴とするピンヘッダーと回路基板との電気接続構造。
【請求項６】
前記同一基板内接続ピン端子が接続する前記回路基板は、
前記同一基板内接続ピン端子が接続する前記電気接続ホールを前記ピンヘッダーの搭載位置に集約して形成する
ことを特徴とする請求項５に記載のピンヘッダーと回路基板との電気接続構造。
【発明の詳細な説明】
【技術分野】
【０００１】
本発明は、２枚の回路基板の各回路基板の電気接続ホールに接続するピンヘッダーおよびピンヘッダーと回路基板との電気接続構造に関する。
【背景技術】
【０００２】
従来、２枚の回路基板間を電気的に接続する電気接続部品として、２枚の回路基板の電気接続ホールにピン端子の両端を接続するピン端子と、該ピン端子をピン挿通孔に挿通して保持するピン端子保持部と、を有する、いわゆる、ピンヘッダーを用いる（例えば、特許文献１参照）。
【先行技術文献】
【特許文献】
【０００３】
【特許文献１】特開２０１１−１１９０９８号公報
【発明の概要】
【発明が解決しようとする課題】
【０００４】
しかしながら、特許文献１に記載されたピンヘッダーは、同一の回路基板上の離間した電気接続ホール同士を接続する場合、ピンヘッダーとは別に、いわゆるジャンパーを用いるため、部品コストが増加するという問題があった。
【０００５】
本発明は、上記に鑑みてなされたものであって、部品コストを低減することができるピンヘッダーおよびピンヘッダーと回路基板との電気接続構造を提供することを目的とする。
【課題を解決するための手段】
【０００６】
上述した課題を解決し、目的を達成するために、本発明の請求項１に係るピンヘッダーは、２枚の回路基板の各回路基板の電気接続ホールに各端部を差し込んで接続するピン端子と、ピン挿通孔に前記ピン端子を挿通することによって該ピン端子を保持するピン端子保持部と、を有するピンヘッダーにおいて、前記ピン挿通孔に挿通することによって前記ピン端子保持部に保持しつつ、同一の前記回路基板の前記電気接続ホールに両端部を差し込んで接続する同一基板内接続ピン端子を有することを特徴とする。
【０００７】
また、本発明の請求項２に係るピンヘッダーは、上記の発明において、前記ピン端子保持部が前記同一基板内接続ピン端子を前記同一の回路基板内の前記電気接続ホールに前記両端部を差し込み可能に折り返すために屈曲した部分を保持する屈曲部分保持部を有することを特徴とする。
【０００８】
また、本発明の請求項３に係るピンヘッダーは、上記の発明において、前記屈曲部分保持部が前記ピン端子の両端部を前記２枚の回路基板の対向位置からズレた前記電気接続ホールに接続するために屈曲した部分を保持することを特徴とする。
【０００９】
また、本発明の請求項４に係るピンヘッダーは、上記の発明において、前記ピン端子保持部が前記ピン端子および前記同一基板内接続ピン端子の前記電気接続ホールへの差し込み量を規定するスペーサ部を有し、かつ、上下および左右対称形状であることを特徴とする。
【００１０】
上述した課題を解決し、目的を達成するために、本発明の請求項５に係るピンヘッダーと回路基板との電気接続構造は、２枚の回路基板の各回路基板の電気接続ホールにピンヘッダーのピン端子の各端部を差し込んで接続するピンヘッダーと回路基板との電気接続構造において、前記ピンヘッダーは、請求項１〜４のいずれか一つに記載のピンヘッダーであることを特徴とする。
【００１１】
また、本発明の請求項６に係るピンヘッダーと回路基板との電気接続構造は、上記の発明において、前記同一基板内接続ピン端子が接続する前記回路基板は、前記同一基板内接続ピン端子が接続する前記電気接続ホールを前記ピンヘッダーの搭載位置に集約して形成することを特徴とする。
【発明の効果】
【００１２】
本発明の請求項１に係るピンヘッダーは、前記ピンヘッダーとは別部品のジャンパー等を用いることなく、同一の前記回路基板内で離間した前記電気接続ホール間を接続することができるので、部品コストを低減することができる。
【００１３】
本発明の請求項２に係るピンヘッダーは、前記屈曲部分保持部によって、前記同一基板内接続ピン端子を前記ピン端子保持部にガタツキなく確実に保持することができる。
【００１４】
本発明の請求項３に係るピンヘッダーは、前記屈曲部分保持部によって、対向位置からズレた位置の前記電気接続ホールに接続するため屈曲した前記ピン端子についても前記ピン端子保持部にガタツキなく確実に保持することができる。
【００１５】
本発明の請求項４に係るピンヘッダーは、前記ピン端子保持部が上下および左右対称形状であるため、前記ピン端子保持部の上下および左右方向を気にせず、前記ピン端子保持部への前記ピン端子および前記同一基板内接続ピン端子の取り付けを容易に行うことができる。しかも、前記ピン端子保持部に対して前記ピン端子および前記同一基板内接続ピン端子を上下および左右対称に取り付けた場合、前記ピンヘッダー自体が上下および左右対称形状になるため、前記スペーサ部を利用して前記２枚の回路基板への前記ピンヘッダーの取り付けを容易に行うことができる。
【００１６】
本発明の請求項５に係るピンヘッダーと回路基板との電気接続構造は、上述したピンヘッダーを用いて前記２枚の回路基板を接続しているため、上述したピンヘッダーと同様の効果を得ることができる。
【００１７】
本発明の請求項６に係るピンヘッダーと回路基板との電気接続構造は、前記同一基板内接続ピン端子が接続する前記電気接続ホールを前記ピン端子が接続する前記電気接続ホールと同様に前記ピンヘッダーの搭載位置に集約して形成しているので、前記ピンヘッダーの前記回路基板への取り付けを容易に行うことができる。
【図面の簡単な説明】
【００１８】
【図１】図１は、（ａ）が本発明の実施例に係るピンヘッダーが電気的に接続する２枚の回路基板を組み込んだ電気接続箱の斜視図であり、（ｂ）が、電気接続箱のピンヘッダー周辺の拡大斜視図である。
【図２】図２は、本発明の実施例に係るピンヘッダーのピン端子保持部に同一基板内接続ピン端子を保持する前の状態を示す斜視図である。
【図３】図３は、本発明の実施例に係るピンヘッダーの斜視図である。
【図４】図４は、ピンヘッダーの同一基板内接続ピン端子周辺の断面斜視図である。
【図５】図５は、ピン端子保持部の端部周辺の拡大斜視図である。
【図６】図６は、変形例１のピンヘッダーに同一基板内接続ピン端子を取り付ける前の状態を示す斜視図である。
【図７】図７は、変形例２のピンヘッダーと回路基板との電気接続構造のピンヘッダー周辺を拡大した斜視図である。
【図８】図８は、変形例２のピンヘッダーにクランク形状のピン端子を取り付ける前の状態を示す斜視図である。
【図９】図９は、変形例２のピンヘッダーの斜視図である。
【図１０】図１０は、変形例３のピンヘッダーと回路基板との電気接続構造のピンヘッダー周辺を拡大した斜視図である。
【図１１】図１１は、変形例３のピンヘッダーにクランク形状のピン端子を取り付ける前の状態を示す斜視図である。
【図１２】図１２は、変形例３のピンヘッダーの斜視図である。
【図１３】図１３は、変形例４のピンヘッダーの斜視図である。
【図１４】図１４は、（ａ）が変形例５のピンヘッダーに４本の同一基板内接続ピン端子を取り付ける前の斜視図であり、（ｂ）が変形例５のピンヘッダーと回路基板との電気接続構造の斜視図である。
【図１５】図１５は、（ａ）が変形例５のピンヘッダーに２本の同一基板内接続ピン端子を取り付ける前の斜視図であり、（ｂ）が変形例５のピンヘッダーと回路基板との電気接続構造の斜視図である。
【発明を実施するための形態】
【００１９】
以下、図面を参照して、本発明に係るピンヘッダーおよびピンヘッダーと回路基板との電気接続構造の好適な実施例を詳細に説明する。
【実施例】
【００２０】
図１は、（ａ）が本発明の実施例に係るピンヘッダー１が電気的に接続する２枚の回路基板６０Ａ、６０Ｂを組み込んだ電気接続箱７０の斜視図であり、（ｂ）が、電気接続箱７０のピンヘッダー１周辺の拡大斜視図である。図２は、本発明の実施例に係るピンヘッダー１のピン端子保持部１０に同一基板内接続ピン端子５０を保持する前の状態を示す斜視図である。図３は、本発明の実施例に係るピンヘッダー１の斜視図である。図４は、ピンヘッダー１の同一基板内接続ピン端子５０周辺の断面斜視図である。なお、図４は、ピン端子４０の図示を省略する。図５は、ピン端子保持部１０の端部周辺の拡大斜視図である。
なお、本発明の実施例では説明の便宜上、図中に示すように左右および上下方向を定義する。
【００２１】
本発明の実施例に係るピンヘッダー１は、２枚の回路基板６０Ａ、６０Ｂの各回路基板６０Ａ、６０Ｂの電気接続ホール６１に各端部４０ａを差し込んで接続するピン端子４０と、ピン挿通孔２１にピン端子４０を挿通することによって該ピン端子４０を保持するピン端子保持部１０と、を有するものである。
また、本発明の実施例に係るピンヘッダーと回路基板との電気接続構造１００は、２枚の回路基板６０Ａ、６０Ｂの各回路基板６０Ａ、６０Ｂの電気接続ホール６１にピンヘッダー１のピン端子４０の各端部４０ａを差し込んで接続するものである。
このピンヘッダーと回路基板との電気接続構造１００は、自動車等の電源分配等に用いる電気接続箱７０に組み込まれている。
【００２２】
電気接続箱７０は、絶縁樹脂製のケース７１によって２枚の回路基板６０Ａ、６０Ｂを含む複数の電気電子部品を保持収容する。
２枚の回路基板６０Ａ、６０Ｂの各回路基板６０Ａ、６０Ｂは、例えば、プリント配線板によって実現し、ケース７１によって互いに上下で向かい合うように保持されている。
より具体的には、上側の回路基板６０Ａ、および下側の回路基板６０Ｂは、互いに上下で向かい合うように不図示のネジ等の固定部材によってケース７１に固定する。
【００２３】
各回路基板６０Ａ、６０Ｂの表面にはピン端子４０の端部４０ａ、および後述する同一基板内接続ピン端子５０の端部５０ａを差し込んで接続するための電気接続ホール６１を形成する。
この電気接続ホール６１は、回路基板６０Ａ、６０Ｂに形成した孔内に銅めっき等によって導通処理を施した、いわゆるスルーホールである。なお、電気接続ホール６１は、スルーホールのような貫通孔でなくてもよい。
【００２４】
各回路基板６０Ａ、６０Ｂの電気接続ホール６１は、ピンヘッダー１に２行、１７列に並んで形成したピン挿通孔２１に対応して２行、１７列に並んで形成する。
なお、この実施例では、回路基板６０Ｂの右から２列目の行方向に並ぶ２つの電気接続ホール６１に同一基板内接続ピン端子５０の各端部５０ａを差し込んで接続するようになっている。これら２つの電気接続ホール６１に向かい合うように配置する回路基板６０Ａの２つの電気接続ホール６１は、ピン端子４０あるいは同一基板内接続ピン端子５０に接続しない。
また、回路基板６０Ａおよび回路基板６０Ｂの右から２列目の２つの電気接続ホール６１以外の電気接続ホール６１は、互いに向かい合う電気接続ホール６１同士がピン端子４０によって接続される。
このような回路基板６０Ｂは、同一基板内接続ピン端子５０が接続する電気接続ホール６１をピン端子４０が接続する電気接続ホール６１と同様にピンヘッダー１の搭載位置Ｐに集約して形成する。
【００２５】
次に、ピンヘッダー１について説明する。
ピンヘッダー１は、ピン端子保持部１０と、ピン端子保持部１０が保持する３２本のピン端子４０と、ピン挿通孔２１に挿通することによってピン端子保持部１０に保持しつつ、同一の回路基板６０Ｂの電気接続ホール６１に両端部５０ａを差し込んで接続する１本の同一基板内接続ピン端子５０と、を有する。
【００２６】
ピン端子４０は、直線ピン状の導電性金属部材であり、両先端部を先細りに形成している。このピン端子４０は、中央部をピン挿通孔２１に挿通した状態でピン端子保持部１０によって保持され、ピン挿通孔２１から露出した各端部４０ａが各回路基板６０Ａ、６０Ｂの電気接続ホール１１に接続する。
【００２７】
同一基板内接続ピン端子５０は、直線ピン状の導電性金属部材を門状に屈曲したものであり、両先端部を先細りに形成している。この同一基板内接続ピン端子５０は、同一の回路基板６０Ｂ内、すなわち回路基板６０Ｂ内の電気接続ホール６１に両端部５０ａを差し込み可能に折り返すために屈曲している。
このように屈曲した同一基板内接続ピン端子５０は、平行に延びる一対の挿通部５１、５１と、該一対の挿通部５１、５１を直交方向で連結する連結部５２と、を有する。
【００２８】
同一基板内接続ピン端子５０は、一対の挿通部５１、５１を隣り合う２つのピン挿通孔２１の各ピン挿通孔２１に挿通した状態でピン端子保持部１０によって保持され、各ピン挿通孔２１から露出した各端部５０ａが同一の回路基板６０Ｂの電気接続ホール１１に接続する。
なお、この実施例では、ピン端子保持部１０の右から２列目の２つのピン挿通孔２１に同一基板内接続ピン端子５０の一対の挿通部５１、５１を挿通し、残りのピン挿通孔２１にピン端子４０を挿通する。
【００２９】
ピン端子保持部１０は、合成樹脂等の絶縁材からなり、略直方体のブロック形状の保持本体部２０と、スペーサ部３０と、を有する。
保持本体部２０は、短手方向に２行、かつ長手方向に１７列に並んだピン挿通孔２１によって、ピン端子４０および同一基板内接続ピン端子５０を保持する。
【００３０】
この保持本体部２０は、同一基板内接続ピン端子５０を同一の回路基板６０Ｂ内の電気接続ホール６１に両端部を差し込み可能に折り返すために屈曲した部分を保持する屈曲部分保持部２２を有する。
屈曲部分保持部２２は、行方向および列方向で隣り合うピン挿通孔２１の間で同一基板内接続ピン端子５０の屈曲した部分を保持する。
より具体的には、屈曲部分保持部２２は、保持本体部２０の上下両面において、行方向および列方向で各ピン挿通孔の間を格子状に結ぶピン保持溝２２ａを形成してなる。ピン保持溝２２ａは、ピン挿通孔２１を形成する保持本体部２０の上下両面に立設した壁によってその溝側面を形成し、同一基板内接続ピン端子５０の幅よりも僅かに大きい幅に溝幅および溝部深さを調整する。
【００３１】
同一基板内接続ピン端子５０は、連結部５２をピン保持溝２２ａの溝内に嵌め込み、一対の挿通部５１、５１を隣り合う２つのピン挿通孔２１の各ピン挿通孔２１に挿通することによってガタツキなく保持される。
【００３２】
次に、スペーサ部３０について説明する。
スペーサ部３０は、ピン端子４０および同一基板内接続ピン端子５０の回路基板６０Ａ、６０Ｂへの差し込み量を規定するものである。
このスペーサ部３０は、保持本体部２０の長手方向の各端部に、下方に向けて突出した一対の下向き突起部３１、３１と、上方に向けて突出した一対の上向き突起部３２、３２と、を有する。
【００３３】
一対の下向き突起部３１、３１、および一対の上向き突起部３２、３２は、保持本体部２０の上下方向での中心位置からの突出量が同一になるように調整している。
このため、ピンヘッダー１を回路基板６０Ａ、６０Ｂに取り付ける場合、一対の下向き突起部３１、３１、あるいは一対の上向き突起部３２、３２を回路基板６０Ａ、６０Ｂに突き当てることによって、ピン端子４０および同一基板内接続ピン端子５０の端部４０ａ、５０ａの電気接続ホール６１への差し込み量を規定することができる。
しかも、ピン端子保持部１０は、上下および左右対称形状であるため、ピン端子保持部１０の上下左右の向きを気にすることなくピン端子４０および同一基板内接続ピン端子５０をピン端子保持部１０に取り付けることができる。
また、ピン端子保持部１０にピン端子４０および同一基板内接続ピン端子５０を上下左右対称に取り付けた場合、ピンヘッダー１自体が上下左右対称になるため、ピンヘッダー１の上下左右の向きを気にすることなくピンヘッダー１を回路基板６０Ａ、６０Ｂに取り付けることができる。
【００３４】
このようなピンヘッダー１を２枚の回路基板６０Ａ、６０Ｂに接続する場合、ピンヘッダー１に最初に取り付ける回路基板６０Ａ、６０Ｂに対してスペーサ部３０の下向きあるいは上向き突起部３１、３２によってピン端子４０および／または同一基板内接続ピン端子５０の電気接続ホール６１への差し込み量を規定し、後に取り付ける回路基板６０Ａ、６０Ｂはケース７１によってピン端子４０および／または同一基板内接続ピン端子５０の電気接続ホール６１への差し込み量を規定する。
【００３５】
本発明の実施例に係るピンヘッダー１は、ピンヘッダー１とは別部品のジャンパー等を用いることなく、同一の回路基板６０Ｂ内で離間した電気接続ホール６１間を接続することができるので、部品コストを低減することができる。
【００３６】
また、本発明の実施例に係るピンヘッダー１は、屈曲部分保持部２２によって、同一基板内接続ピン端子５０をピン端子保持部１０にガタツキなく確実に保持することができる。
【００３７】
また、本発明の実施例に係るピンヘッダー１は、ピン端子保持部１０が上下および左右対称形状であるため、ピン端子保持部１０の上下および左右方向を気にせず、ピン端子保持部１０へのピン端子４０および同一基板内接続ピン端子５０の取り付けを容易に行うことができる。しかも、ピン端子保持部１０に対してピン端子４０および同一基板内接続ピン端子５０を上下および左右対称に取り付けた場合、ピンヘッダー１自体が上下および左右対称形状になるため、スペーサ部３０を利用して２枚の回路基板６０Ａ、６０Ｂへのピンヘッダー１の取り付けを容易に行うことができる。
【００３８】
また、本発明の実施例に係るピンヘッダーと回路基板との電気接続構造１００は、ピンヘッダー１を用いて２枚の回路基板６０Ａ、６０Ｂを接続しているため、ピンヘッダー１と同様の効果を得ることができる。
【００３９】
また、本発明の実施例に係るピンヘッダーと回路基板との電気接続構造１００は、同一基板内接続ピン端子５０が接続する電気接続ホール６１をピン端子４０が接続する電気接続ホール６１と同様にピンヘッダー１の搭載位置Ｐに集約して形成しているので、ピンヘッダー１の回路基板６０Ｂへの取り付けを容易に行うことができる。
【００４０】
（変形例１）
次に、図６を用いて本発明の実施例に係るピンヘッダーおよびピンヘッダーと回路基板との電気接続構造１の変形例１について説明する。図６は、変形例１のピンヘッダー２に同一基板内接続ピン端子５０を取り付ける前の状態を示す斜視図である。
この変形例１のピンヘッダー２は、ピン端子保持部１１が屈曲部分保持部２２を有しない点で実施例のピンヘッダー１と異なる。
なお、その他の構成は実施例と同様であり、実施例と同一構成部分には同一符号を付している。
【００４１】
この変形例１のピンヘッダー２は、ピン挿通孔２１だけでピン端子４０および同一基板内接続ピン端子５０を保持する。
【００４２】
この変形例１のピンヘッダー２は、実施例１のピンヘッダー１によりもピン端子４０および同一基板内接続ピン端子５０を保持する性能は劣るものの、実施例のピンヘッダー１と同様に、ピンヘッダー２とは別部品のジャンパー等を用いることなく、同一の回路基板６０Ｂ内で離間した電気接続ホール６１間を接続することができるので、部品コストを低減することができる。
【００４３】
（変形例２）
次に、図７−９を用いて本発明の実施例に係るピンヘッダーおよびピンヘッダーと回路基板との電気接続構造１００の変形例２について説明する。図７は、変形例２のピンヘッダーと回路基板との電気接続構造２００のピンヘッダー３周辺を拡大した斜視図である。図８は、変形例２のピンヘッダー３にクランク形状のピン端子４１を取り付ける前の状態を示す斜視図である。図９は、変形例２のピンヘッダー３の斜視図である。
この変形例２のピンヘッダー３およびピンヘッダーと回路基板との電気接続構造２００は、一本のピン端子４１がクランク形状である点で実施例のピンヘッダー１およびピンヘッダーと回路基板との電気接続構造１００と異なる。
なお、その他の構成は実施例と同様であり、実施例と同一構成部分には同一符号を付している。
【００４４】
この変形例２のピンヘッダー３は、ピン端子保持部１０の右から３列目の一方のピン挿通孔２１に挿通することによってクランク形状のピン端子４１を保持している。
【００４５】
クランク形状のピン端子４１は、平行、かつ上下反対方向に向けて延びる一対の挿通部４２、４２と、該一対の挿通部４２、４２を直交方向で連結する連結部４３と、を有する。
このクランク形状のピン端子４１は、一方の挿通部４２をピン挿通孔２１に挿通し、連結部４３を行方向でピン挿通孔２１の間を結ぶピン保持溝２２ａ内に嵌め込むことによってガタツキなく保持される。
すなわち、屈曲部分保持部２２は、クランク形状のピン端子４１の両端部４１ａ、４１ａを２枚の回路基板の対向位置からズレた電気接続ホール６１に接続するために屈曲した部分を保持する。
【００４６】
この変形例２のピンヘッダー３およびピンヘッダーと回路基板との電気接続構造２００は、実施例のピンヘッダー１およびピンヘッダーと回路基板との電気接続構造１００と同様の効果を奏する。しかも、屈曲部分保持部２２によって、対向位置からズレた位置の電気接続ホール６１に接続するため屈曲したピン端子４１についてもピン端子保持部１０にガタツキなく確実に保持することができる。
【００４７】
（変形例３）
次に、図１０−１２を用いて本発明の実施例に係るピンヘッダー１およびピンヘッダーと回路基板との電気接続構造１００の変形例３について説明する。図１０は、変形例３のピンヘッダーと回路基板との電気接続構造３００のピンヘッダー４周辺を拡大した斜視図である。図１１は、変形例３のピンヘッダー４にクランク形状のピン端子４１を取り付ける前の状態を示す斜視図である。図１２は、変形例３のピンヘッダー４の斜視図である。
この変形例３のピンヘッダー４およびピンヘッダーと回路基板との電気接続構造３００は一本のピン端子４１がクランク形状である点で実施例のピンヘッダー１およびピンヘッダーと回路基板との電気接続構造１００と異なる。
なお、その他の構成は実施例と同様であり、実施例と同一構成部分には同一符号を付している。
【００４８】
この変形例３のピンヘッダー４は、ピン端子保持部１０の右から３列目の一方のピン挿通孔２１に挿通することによってクランク形状のピン端子４１を保持している。
【００４９】
クランク形状のピン端子４１は、一方の挿通部４２をピン挿通孔２１に挿通し、連結部４３を列方向でピン挿通孔２１の間を結ぶピン保持溝２２ａ内に嵌め込むことによってガタツキなく保持される。
すなわち、屈曲部分保持部２２は、クランク形状のピン端子４１の両端部４１ａ、４１ａを２枚の回路基板の対向位置からズレた電気接続ホール６１に接続するために屈曲した部分を保持する。
なお、クランク形状のピン端子４１は、ピン端子保持部１０によって、変形例２のクランク形状のピン端子４１と異なる方向に向けて保持される。
【００５０】
この変形例３のピンヘッダー４およびピンヘッダーと回路基板との電気接続構造３００は、変形例２と同様の効果を奏することができる。
【００５１】
（変形例４）
次に、図１３を用いて本発明の実施例に係るピンヘッダー５およびピンヘッダーと回路基板との電気接続構造４００の変形例４について説明する。図１３は、変形例４のピンヘッダー５の斜視図である。
なお、図１３は、回路基板６０Ａの図示を省略している。
この変形例４のピンヘッダー５およびピンヘッダーと回路基板との電気接続構造４００は同一基板内接続ピン端子５３を一つのピン挿通孔２１に挿通している点で実施例のピンヘッダー１およびピンヘッダーと回路基板との電気接続構造１００と異なる。
なお、その他の構成は実施例と同様であり、実施例と同一構成部分には同一符号を付している。
【００５２】
この変形例４のピンヘッダー５は、ピン端子保持部１０が同一基板内接続ピン端子５３の一方の挿通部５４を一つのピン挿通孔２１に挿通することによって同一基板内接続ピン端子５３を保持する。
【００５３】
この変形例４のピンヘッダー５およびピンヘッダーと回路基板との電気接続構造４００は、実施例のピンヘッダー１およびピンヘッダーと回路基板との電気接続構造１００と同様に、ピンヘッダー５とは別部品のジャンパー等を用いることなく、同一の回路基板６０Ｂ内で離間した電気接続ホール６１間を接続することができるので、部品コストを低減することができる。しかも、ピン挿通孔２１に挿通しない側の挿通部５４を、ピン端子４０とは離れた位置、すなわちピンヘッダー５の搭載位置から離れた位置の電気接続ホール６１に接続することができる。
【００５４】
（変形例５）
次に、図１４および図１５を用いて本発明の実施例に係るピンヘッダー１およびピンヘッダーと回路基板との電気接続構造１００の変形例５について説明する。図１４は、（ａ）が変形例５のピンヘッダー６に４本の同一基板内接続ピン端子５０を取り付ける前の斜視図であり、（ｂ）が変形例５のピンヘッダーと回路基板との電気接続構造５００の斜視図である。図１５は、（ａ）が変形例５のピンヘッダー６に２本の同一基板内接続ピン端子５０を取り付ける前の斜視図であり、（ｂ）が変形例５のピンヘッダーと回路基板との電気接続構造５００の斜視図である。
なお、図１４（ｂ）および図１５（ｂ）は、回路基板６０Ａの図示を省略している。
この変形例５のピンヘッダー６およびピンヘッダーと回路基板との電気接続構造５００は、複数の同一基板内接続ピン端子５０を有し、しかも、同一基板内接続ピン端子５０が回路基板６０Ｂの配線仕様の変更に応じて、その数を増減して取り付けできるようになっている点で実施例のピンヘッダー１およびピンヘッダーと回路基板との電気接続構造１００と異なる。
なお、その他の構成は実施例と同様であり、実施例と同一構成部分には同一符号を付している。
【００５５】
この変形例５のピンヘッダー６は、ピン端子保持部１０の右から４列目までが同一基板内接続ピン端子５０の一対の挿通部５１、５１を挿通するピン挿通孔２１であり、１本から４本の同一基板内接続ピン端子５０を回路基板６０Ｂの配線仕様に応じてピン端子保持部１０の対応するピン挿通孔２１に挿通し、配線仕様に応じた電気接続ホール６１に接続するようになっている。
具体的には、図１４に示すように、回路基板６０Ｂの一つの配線仕様には４本の同一基板内接続ピン端子５０を回路基板６０Ｂ内の電気接続ホール６１に接続する。
一方、他の配線仕様に対しては、図１５に示すように、２本の同一基板内接続ピン端子５０を回路基板６０Ｂ内の電気接続ホール６１に接続する。
【００５６】
この変形例５のピンヘッダー６およびピンヘッダーと回路基板との電気接続構造５００は、実施例のピンヘッダー１およびピンヘッダーと回路基板との電気接続構造１００と同様の効果を奏する。しかも、回路基板６０Ｂを変更することなく、同一基板内接続ピン端子５０の数、あるいは保持位置を変更することによって、回路基板６０Ｂの配線仕様に応じた配線仕様に変更することができるので、部品コストをさらに低減することができる。
【００５７】
なお、本発明の実施例に係るピンヘッダー１、２、３、４、５、６およびピンヘッダーと回路基板との電気接続構造１００、２００、３００、４００、５００は、同一基板内接続ピン端子５０、５３が下側の回路基板６０Ｂに接続するものを例示したが、上側の回路基板６０Ａに接続するようにしてもよいし、２枚の回路基板６０Ａ，６０Ｂのそれぞれに同一基板内で接続するようにしてもよい。
【００５８】
また、本発明の実施例に係るピンヘッダーと回路基板との電気接続構造１００、２００、３００、４００、５００は、電気接続箱７０に組み込むものを例示したが、これに限らず、その他のデバイスに組み込んでも構わない。
【００５９】
また、本発明の実施例に係るピンヘッダー１、２、３、４、５、６は、ピン端子４０、４１および同一基板内接続ピン端子５０、５３の両端部４０ａ、５０ａを、いわゆるプレスフィットピンで構成しても構わない。このようなピン端子４０、４１および同一基板内接続ピン端子５０、５３の両端部４０ａ、５０ａは、電気接続ホール６１に圧入したプレスフィットピンの弾性変形による圧力によって半田を使用することなく電気接続ホール６１との接続状態を維持できる。
【００６０】
また、本発明の実施例に係るピンヘッダーと回路基板との電気接続構造１００、２００、３００、４００、５００は、筒内にピン端子４０、４１および同一基板内接続ピン端子５０、５３の端部４０ａ、５０ａを圧入可能な導電性の筒状部材、いわゆるピンソケットを回路基板６０Ａ、６０Ｂに設けることによって電気接続ホール６１を構成するようにしてもよい。このような電気接続ホール６１は、半田を使用することなくピン端子４０、４１および同一基板内接続ピン端子５０、５３の端部４０ａ、５０ａとの接続状態を維持できる。
【００６１】
また、本発明の実施例に係るピンヘッダーと回路基板との電気接続構造１００、２００、３００、４００、５００は、２枚の回路基板６０Ａ、６０Ｂが上下に向かい合うものを例示したが、これに限らず、２枚の回路基板６０Ａ、６０Ｂを互いに直交配置しても構わない。
【００６２】
また、本発明の実施例に係るピンヘッダー１、２、３、４、５、６は、ピン端子保持部１０が上下および左右対称形状であるものを例示したが、これに限らず、上下および左右非対称形状であっても構わない。
【００６３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６４】
１、２、３、４、５、６  ピンヘッダー
１０、１１              ピン端子保持部
２０                    保持本体部
２１                    ピン挿通孔
２２                    屈曲部分保持部
２２ａ                  ピン保持溝
３０                    スペーサ部
３１                    下向き突起部
３２                    上向き突起部
４０、４１              ピン端子
４０ａ、４１ａ          端部
４２                    挿通部
４３                    連結部
５０、５３              同一基板内接続ピン端子
５０ａ、５３ａ          端部
５１、５４              挿通部
５２、５５              連結部
７０                    電気接続箱
７１                    ケース
６０Ａ、６０Ｂ          回路基板
６１                    電気接続ホール
１００、２００、３００  ピンヘッダーと回路基板との電気接続構造
４００、５００          ピンヘッダーと回路基板との電気接続構造
Ｐ                      搭載位置
【図１】
2015115101.tif 000003
【図２】
2015115101.tif 000004
【図３】
2015115101.tif 000005
【図４】
2015115101.tif 000006
【図５】
2015115101.tif 000007
【図６】
2015115101.tif 000008
【図７】
2015115101.tif 000009
【図８】
2015115101.tif 000010
【図９】
2015115101.tif 000011
【図１０】
2015115101.tif 000012
【図１１】
2015115101.tif 000013
【図１２】
2015115101.tif 000014
【図１３】
2015115101.tif 000015
【図１４】
2015115101.tif 000016
【図１５】
2015115101.tif 000017